(57)【要約】      （修正有）【課題】温水プラグの使用時にケース体の開放端部から取り外されて不使用状態となったプラグキャップが、プラグ部の接続作業又は解除作業の邪魔にならないようにする。【解決手段】室内の放熱機52から延長する一対の室内側温水配管30a、30bの先端部に装着されるケース体23と、ケース体23で全体的に包囲され且つ流路接続のための一対のプラグ部25a、25bと、プラグ部25a、25bの接続用端部27が露出するケース体23の開放端部に着脱自在に装着可能なプラグキャップ20とからなる温水プラグに関し、ケース体23の所定位置に、プラグキャップ20を嵌め込み状態に収容可能なプラグキャップ収容部200を設ける。【選択図】図１
2015004492.tif 000002
【特許請求の範囲】
【請求項１】
室内の放熱機から延長する一対の室内側温水配管の先端部に装着されるケース体と、
前記ケース体で全体的に包囲され且つ流路接続のための一対のプラグ部と、
前記プラグ部の接続用端部が露出する前記ケース体の開放端部に着脱自在に装着可能なプラグキャップとからなる温水プラグにおいて、
前記ケース体の所定位置に、前記プラグキャップを嵌め込み状態に収容可能なプラグキャップ収容部を設けたことを特徴とする温水プラグ。
【請求項２】
請求項１に記載の温水プラグにおいて、
前記プラグキャップには、前記ケース体の前記開放端部に内嵌可能な環状凸部が突設され、
前記プラグキャップ収容部は、前記環状凸部が密に内嵌可能な環状凹部を有することを特徴とする温水プラグ。
【請求項３】
請求項１又は請求項２に記載の温水プラグにおいて、
前記プラグ部は、前記室内側温水配管の流路に対して直角方向に延長する姿勢に配設され、
前記ケース体は、前記室内側温水配管の前記先端部近傍とそれに同軸上に続く所定範囲を被覆する第１ケース部と、前記第１ケース部の一側面から直角方向に突出し且つ前記プラグ部全体を包囲する第２ケース部とから略Ｌ字状に構成され、
前記プラグ部を、壁板等の表面に添設される温水コンセントのプラグ接続筒部に接続させるとき、前記第２ケース部の開放端部が前記温水コンセントの正面部に直角方向に差し込まれると共に、前記第１ケース部の前記一側面が、前記温水コンセントの前記正面部に対して平行に且つ近接して位置するように設定され、
前記プラグキャップ収容部は、前記第１ケース部の前記一側面に設けられていることを特徴とする温水プラグ。
【請求項４】
請求項１から請求項３のいずれかに記載の温水プラグにおいて、
前記プラグキャップは、前記ケース体と連結具で連結されていることを特徴とする温水プラグ。
【発明の詳細な説明】
【技術分野】
【０００１】
本発明は、温水プラグ、特に、室内の放熱機から延びる室内側温水配管の先端部に装着され、壁面又は床面等に設置される温水コンセントに着脱自在に接続させるための温水プラグに関する。
【背景技術】
【０００２】
室外側の熱源機(51)と、ファンヒータや床暖房器等の室内側の放熱機(52)とは、往路及び復路からなる温水循環回路によって接続される。
【０００３】
図７に示すように、放熱機(52)の近傍の壁板(5)には、温水コンセント(4)が開口(50)を介して設置されている。温水コンセント(4)には、略Ｌ字状のコンセント本体(41a)(41b)が具備されており、その一端の配管接続部(42a)(42b)には、熱源機(51)から延長する室外側回路である室外側温水配管(40a)(40b)が接続され、他端のプラグ接続筒部(43a)(43b)には、放熱機(52)から延長する室内側回路である室内側温水配管(30a)(30b)の先端部に接続される温水プラグ(3)のプラグ部(34a)(34b)が着脱自在に接続される。
【０００４】
温水プラグ(3)のプラグ部(34a)(34b)は、室内側温水配管(30a)(30b)の流路に対して直角方向に延長する姿勢に配設され、室内側温水配管(30a)(30b)の前記先端部近傍からプラグ部(34a)(34b)の先端までは、略Ｌ字状のケース体(33)で被覆されている。
なお、室内側温水配管(30a)(30b)は、蛇腹管からなる配管カバー(35)で結束状態に被覆されている。
【０００５】
ケース体(33)は、図８に示すように、室内側温水配管(30a)(30b)の前記接続部近傍とそれに続く所定範囲を被覆する第１ケース部(31)と、第１ケース部(31)に連通し且つその一側面から直角方向に突出してプラグ部(34a)(34b)の先端までを包囲する第２ケース部(32)とからなり、第２ケース部(32)を温水コンセント(4)の差込孔(44)に嵌め込み、プラグ部(34a)(34b)を温水コンセント(4)のプラグ接続筒部(43a)(43b)へ接続すると同時に電気接続させることにより、室内側温水配管(30a)(30b)と室外側温水配管(40a)(40b)とが流路接続して温水循環回路が形成され、熱源機(51)と放熱機(52)との間で温水が循環することとなる。
【０００６】
なお、温水プラグ(3)の不使用時には、プラグ部(34a)(34b)からの水滴の漏れや塵芥のプラグ部(34a)(34b)への侵入を防止するために、第２ケース部(32)の開放端にプラグキャップ(60)を着脱自在に外嵌させたものが、特開２０００−１７９８７３号公報に開示されている。
このようなプラグキャップ(60)は、図７に示すように、第２ケース部(32)の開放端部に外嵌させることにより、第２ケース部(32)は水密状態に閉塞される。
これにより、不使用時の温水プラグ(3)のプラグ部(34a)(34b)や端子を外的衝撃やいたずら等から保護することができる上に、埃の侵入を防止することができ、また、温水コンセント(4)から引き抜かれた後のプラグ部(34a)(34b)内に残存する温水が不用意に漏れる不都合も防止できる。
【０００７】
また、プラグキャップ(60)は、紛失を防止するために、配管カバー(35)に外嵌状態に装着させる環状固定具(61)に、連結帯(62)を介して一体的に連結された構成となっており、全体に樹脂やゴム等の弾性材料から形成されている。
【先行技術文献】
【特許文献】
【０００８】
【特許文献１】特開２０００−１７９８７３号公報
【特許文献２】特開２００２−２５７３６２号公報
【発明の概要】
【発明が解決しようとする課題】
【０００９】
しかしながら、温水プラグ(3)を使用する際に、プラグキャップ(60)を第２ケース部(32)の開放端から取り外すと、プラグキャップ(60)は、図８に示すように、配管カバー(35)に外嵌させた環状固定具(61)から、連結帯(62)を介して弾性的にぶら下がった状態となるため、温水プラグ(3)を温水コンセント(4)に接続させる時に、図７の二点鎖線に示すように、プラグキャップ(60)が邪魔になるといった不都合がある。また、温水プラグ(3)の使用中には、不使用状態のプラグキャップ(60)はぶら下がった状態のままであるから見栄えが悪いといった問題もある。
【００１０】
本発明は、『室内の放熱機から延長する一対の室内側温水配管の先端部に装着されるケース体と、
前記ケース体で全体的に包囲され且つ流路接続のための一対のプラグ部と、
前記プラグ部の接続用端部が露出する前記ケース体の開放端部に着脱自在に装着可能なプラグキャップとからなる温水プラグ』において、
温水プラグの使用時に前記ケース体の開放端部から取り外されて不使用状態となるプラグキャップが、前記プラグ部の接続作業又は解除作業の邪魔にならないようにすることを課題とする。
【課題を解決するための手段】
【００１１】
請求項１に係る発明のものは、『前記ケース体の所定位置に、前記プラグキャップを嵌め込み状態に収容可能なプラグキャップ収容部を設けた』ことを特徴とする。
【００１２】
上記技術的手段は次のように作用する。
放熱機から延長する一対の室内側温水配管の先端部に接続される温水プラグのプラグ部を、熱源機から延長する一対の室外側温水配管が接続し且つ壁板等に設置される温水コンセントのプラグ接続筒部に接続させることにより、温水循環回路が形成される。
温水プラグの不使用時には、ケース体の開放端部にプラグキャップが装着された状態にあり、温水プラグを使用する際には、ケース体からプラグキャップを取り外して、ケース体の開放端部からプラグ部の接続用端部を臨ませる。このとき、不使用状態となったプラグキャップは、温水プラグのケース体の所定位置に設けられているプラグキャップ収容部に嵌め込まれて収容される。プラグキャップ収容部は、ケース体の所定位置にて、プラグキャップを嵌め込み状態に収容されるから、温水プラグの温水コンセントへの脱着時にプラグキャップが邪魔になることがない。温水プラグの使用後には、温水プラグを温水コンセントから取り外し、プラグキャップをプラグキャップ収容部から取り出して、ケース体の開放端部に再度装着しておけば良い。
【００１３】
請求項２の発明のものは、上記請求項１の発明の温水プラグにおいて、『前記プラグキャップには、前記ケース体の前記開放端部に内嵌可能な環状凸部が突設され、
前記プラグキャップ収容部は、前記環状凸部が密に内嵌可能な環状凹部を有する』ことを特徴とするもので、このものでは、温水プラグの不使用時には、前記ケース体の開放端部にプラグキャップの環状凸部を内嵌させることにより、前記開放端部は閉塞される。温水プラグの使用時には、プラグキャップは、前記開放端部から抜き取った後、ケース体の所定位置に形成されている環状凹部に環状凸部を内嵌させることにより、プラグキャップをプラグキャップ収容部に収容することができる。
【００１４】
請求項３の発明のものは、上記各請求項に記載の温水プラグにおいて、『前記プラグ部は、前記室内側温水配管の流路に対して直角方向に延長する姿勢に配設され、
前記ケース体は、前記室内側温水配管の前記先端部近傍とそれに同軸上に続く所定範囲を被覆する第１ケース部と、前記第１ケース部の一側面から直角方向に突出し且つ前記プラグ部全体を包囲する第２ケース部とから略Ｌ字状に構成され、
前記プラグ部を、壁板等の表面に添設される温水コンセントのプラグ接続筒部に接続させるとき、前記第２ケース部の開放端部が前記温水コンセントの正面部に直角方向に差し込まれると共に、前記第１ケース部の前記一側面が、前記温水コンセントの前記正面部に対して平行に且つ近接して位置するように設定され、
前記プラグキャップ収容部は、前記第１ケース部の前記一側面に設けられている』ことを特徴とする。
【００１５】
温水プラグの不使用時には第２ケース部の開放端部にプラグキャップが装着されている。温水プラグを使用する際には、プラグキャップを第２ケース部の開放端部から取り外し、第１ケース部の前記一側面に設けられているプラグキャップ収容部に収容した後に、第２ケース部を、温水コンセントの正面部に対して直角方向に差し込んで、プラグ部を温水コンセントのプラグ接続筒部に接続させる。プラグキャップ収容部は、第１ケース部のうち、温水コンセントの正面部に対して平行に且つ近接して位置する前記一側面に設けられているから、流路接続時において、プラグキャップ収容部に、温水コンセントの正面部が近接して位置する態様となり、プラグキャップ収容部に収容されているプラグキャップは外方に露出することがない。
【００１６】
請求項４の発明のものは、上記各請求項に記載の温水コンセントにおいて、『前記プラグキャップは、前記ケース体と連結具で連結されている』ことを特徴とするものでは、プラグキャップは連結具で温水プラグのケース体と連結されているため、不用意に紛失してしまう不都合がない。
【発明の効果】
【００１７】
プラグキャップ収容部は、温水プラグを構成しているケース体の所定位置に設けられ、プラグキャップを嵌め込みにより確実に不動状態に収容することができるから、従来のもののように、不使用状態のプラグキャップが、温水プラグからぶら下がった状態にてゆらゆらと揺動するようなことがない。よって、プラグキャップが、プラグ部の流路接続作業又は解除作業の邪魔になることがない上に、温水プラグの使用状態における美観が向上する。
また、プラグキャップに突設させた環状凸部を、ケース体に設けた環状凹部に嵌め込む構成としたものでは、プラグキャップのプラグキャップ収容部への収容作業が一層容易となる。
さらに、プラグキャップ収容部を、温水プラグを温水コンセントに接続させた状態にて、壁板等の表面に添設される温水コンセントの正面部に対して平行に且つ近接して位置する第１ケース部の一側面に設ける構成としたものでは、プラグキャップ収容部に収容させたプラグキャップに温水コンセントの正面部が近接する態様となるから、プラグキャップは外方に露出せず、プラグキャップが外的衝撃等を受けることがない。よって、プラグキャップが不用意に損傷したり、外れたりする不都合を防止することができる。
【図面の簡単な説明】
【００１８】
【図１】本願発明の実施の形態の温水プラグの不使用状態を示す断面図である。
【図２】本願発明の実施の形態の温水プラグの正面図である。
【図３】本願発明の実施の形態の温水プラグに接続させる温水コンセントの蓋板を開いた状態を示す正面図である。
【図４】本願発明の実施の形態の温水プラグを温水コンセントに接続した状態を示す断面図である。
【図５】本願発明の実施の形態の温水プラグのプラグキャップをプラグキャップ収容部に収容した状態を示す断面図である。
【図６】本願発明の実施の形態の温水プラグを温水コンセントに接続した状態を示す斜視図である。
【図７】従来の温水プラグと温水コンセントの部分断面図である。
【図８】従来のプラグキャップ付きの温水プラグの斜視図である。
【発明を実施するための形態】
【００１９】
以下に、本発明を実施するための最良の形態について添付図面を参照しながら説明する。
図１は、不使用状態にある本願発明の実施の形態における温水プラグ(2)の断面図であり、図２は、プラグキャップを外した状態の温水プラグ(2)の正面図である。また、図３は、温水プラグ(2)を接続させる温水コンセント(1)の化粧ケース(12)の蓋板(13)を開いた状態の正面図である。
【００２０】
温水プラグ(2)は、図１及び図２に示すように、ファンヒータ等の放熱機(52)から延びる一対の往路及び復路を構成する一対の室内側温水配管(30a)(30b)の先端部の各々に、略Ｌ字状のホースエンド部(24a)(24b)を介して、プラグ部(25a)(25b)が連通接続されており、室内側温水配管(30a)(30b)は、蛇腹管からなる配管カバー(35)で結束状態に被覆されている。
【００２１】
室内側温水配管(30a)(30b)の先端部近傍からプラグ部(25a)(25b)の接続用端部(27)までは、略Ｌ字状のケース体(23)によって全体的に包囲されている。
ケース体(23)は、室内側温水配管(30a)(30b)の前記先端部から、室内側温水配管(30a)(30b)と同軸状に延長するホースエンド部(24a)(24b)の一部分を被覆する第１ケース部(21)と、第１ケース部(21)の一側面(21a)から直角方向に突出するように連通し且つプラグ部(25a)(25b)を包囲する第２ケース部(22)とから構成されており、温水プラグ(2)の不使用時には、第２ケース部(22)の開放端部には、プラグキャップ(20)が脱着自在に装着されている。
【００２２】
プラグキャップ(20)は、不使用時における温水プラグ(2)のプラグ部(25a)(25b)からの水滴の漏れや塵芥の侵入を防止すると共に、プラグ部(25a)(25b)に内蔵されている弁体(28)等を保護するために装着させるもので、第２ケース部(22)の開放端部を全域的に閉塞可能な小判型の蓋部(20a)に、前記開放端部に水密状態に内嵌可能な環状凸部(20b)を突設させた形状であり、蓋部(20a)と、第１ケース部(21)の一側面(21a)の中央下部域とは、ボールチェーン(14)で連結された構成となっている。
【００２３】
第１ケース部(21)の一側面(21a)における、第２ケース部(22)の突設部とボールチェーン(14)の取付位置との間には、プラグキャップ(20)の環状凸部(20b)が内嵌可能な大きさ形状の環状凹部(26)が形成されている。
温水プラグ(2)の使用時に、第２ケース部(22)の開放端部から取り外されたプラグキャップ(20)は、その環状凸部(20b)を、第１ケース部(21)の環状凹部(26)に嵌め込むことにより、プラグキャップ(20)は第１ケース部(21)に不動状態に確実に収容することができる。このように、第１ケース部(21)の環状凹部(26)の形成域が、プラグキャップ収容部(200)として機能することとなる。
【００２４】
上記したような温水プラグ(2)を接続させる温水コンセント(1)は、図３及び図４に示すように、壁板(5)の開口(50)に取り付けられるもので、温水コンセント(1)に内蔵させる一対のコンセント本体(10a)(10b)は、室内側にプラグ接続筒部(15a)(15b)が突出し、室外側にて下方に配管接続筒部(16a)(16b)が開放する略Ｌ字状の流路を有しており、配管接続筒部(16a)(16b)に、温水を加熱する熱源機(51)から延長して往路及び復路を構成する一対の室外側温水配管(40a)(40b)がそれぞれ接続されている。
【００２５】
一対のコンセント本体(10a)(10b)は、プラグ接続筒部(15a)(15b)がそれぞれ回動自在に差し込まれる筒部を有する連結体(11)によって所定の間隔をおいて水平に並列する態様で連結されると共に、連結体(11)の基部にはフランジ部(110)を外方に張り出させており、このフランジ部(110)が、ボックス(17)の底部にネジ止めされて固定される。
【００２６】
ボックス(17)は、室内側に開放する略矩形状の箱体であり、壁板(5)に設けた開口(50)からその裏側へ陥入させて設置され、その開放端から外方へ張り出させた鍔部(17a)が、開口(50)の周縁に壁板(5)の表面側から係止されており、壁板(5)の表面には、この鍔部(17a)を被覆するように、化粧ケース(12)が添設固定される。
【００２７】
化粧ケース(12)には、上下にスライド自在な蓋板(13)が備えられており、蓋板(13)を下方へスライドさせることにより、化粧ケース(12)内に差込孔(19)が開放すると共に、差込孔(19)内にプラグ接続筒部(15a)(15b)が露出する態様となる。
この状態で、温水プラグ(2)のプラグ部(25a)(25b)を、温水コンセント(1)のプラグ接続筒部(15a)(15b)に接続させる。
【００２８】
温水プラグ(2)を温水コンセント(1)に接続させるには、温水プラグ(2)の第２ケース部(22)の開放端部に装着されているプラグキャップ(20)を取り外す。これには、プラグキャップ(20)の蓋部(20a)に連結されているボールチェーン(14)を手前に引っ張って、第２ケース部(22)の開放端部から環状凸部(20b)を引き抜けばよい。
取り外されたプラグキャップ(20)は、図５に示すように、その環状凸部(20b)をケース体(23)の第１ケース部(21)の一側面(21a)に形成されている環状凹部(26)に嵌め込む。これにより、不使用状態のプラグキャップ(20)は、環状凹部(26)からなるプラグキャップ収容部(200)内に収容されることとなる。
【００２９】
そして、図４に示すように、温水プラグ(2)の第２ケース部(22)の開放端部を、化粧ケース(12)内の差込孔(19)に直角方向に差し込むことにより、温水プラグ(2)のプラグ部(25a)(25b)が、温水コンセント(1)のプラグ接続筒部(15a)(15b)に接続されることとなる。これにより、プラグ接続筒部(15a)(15b)内の弁体(18)とプラグ部(25a)(25b)内の弁体(28)が開弁し、室外の熱源機(51)と室内の放熱機(52)とが流路接続すると共に電気接続することにより、室外側温水配管(40a)(40b)と室内側温水配管(30a)(30b)との間に循環流路が形成され温水が循環する。
【００３０】
第２ケース部(22)の開放端部から取り外されたプラグキャップ(20)は、第２ケース部(22)の下方の第１ケース部(21)の一側面(21a)に設けた環状凹部(26)に、環状凸部(20b)を嵌め込むことにより、プラグキャップ収容部(200)に収容されて固定された状態となるから、不使用状態のプラグキャップ(20)が、温水プラグ(2)の温水コンセント(1)への脱着作業の邪魔になることがない。
【００３１】
また、温水プラグ(2)を温水コンセント(1)に接続させた温水プラグ(2)の使用時には、図６に示すように、化粧ケース(12)内の差込孔(19)に温水プラグ(2)の第２ケース部(22)を嵌入させることにより、第１ケース部(21)の一側面(21a)に設けられているプラグキャップ収容部(200)には、温水コンセント(1)の正面部が近接して位置するように設定されているから、プラグキャップ収容部(200)内に収容されているプラグキャップ(20)は、温水コンセント(1)の正面部によって隠蔽されて保護される態様となる。よって、プラグキャップ(20)は収容時において外的衝撃を受けることなく、不用意に損傷したり外れたりする不都合はない。
【００３２】
なお、この実施の形態では、図３、図４及び図６に示すように、温水コンセント(1)の差込孔(19)の下方域に、プラグ接続筒部(15a)(15b)に内嵌し且つ連結体(11)の頂面を閉塞させる保護キャップ(120)の収容部(100)を設ける構成としており、温水プラグ(2)を温水コンセント(1)に接続させた状態にて、プラグキャップ収容部(200)に収容されているプラグキャップ(20)と、保護キャップ収容部(100)に収容されている保護キャップ(120)とが相互に対向し合う状態となる。
【００３３】
このように、温水プラグ(2)用のプラグキャップ(20)と温水コンセント(1)用の保護キャップ(120)とは、相互に近接して対向する収容態様とすることにより、温水コンセント(1)と温水プラグ(2)との接続時の美観が向上する上に、相互の脱着作業時に、プラグキャップ(20)及び保護キャップ(120)の両者共が邪魔になることはない。
【００３４】
尚、上記実施の形態では、壁板(5)に設置式の温水コンセント(1)について説明したが、床面設置式のものについても同様に使用することができることは言うまでもない。
【符号の説明】
【００３５】
(2) ・・・・・・・・温水プラグ
(20)・・・・・・・・プラグキャップ
(200) ・・・・・・・プラグキャップ収容部
(23)・・・・・・・・ケース体
(25a)(25b)・・・・・プラグ部
(27)・・・・・・・・接続用端部
(30a)(30b)・・・・・室内側温水配管
(52)・・・・・・・・放熱機
【図１】
2015004492.tif 000003
【図２】
2015004492.tif 000004
【図３】
2015004492.tif 000005
【図４】
2015004492.tif 000006
【図５】
2015004492.tif 000007
【図６】
2015004492.tif 000008
【図７】
2015004492.tif 000009
【図８】
2015004492.tif 000010